(57)【要約】【課題】保存安定性に優れ、硬化後は、耐擦傷性、透明性、撥水性、密着性に優れた硬化皮膜を形成し得る高エネルギー線硬化性アクリロキシ官能シリコーン組成物を提供する。【解決手段】（Ａ）少なくとも１種類の多官能性アクリレート、（Ｂ）アミノ変性オルガノポリシロキサンまたは（Ｆ）少なくとも１種類の多官能性アクリレートとアミノ変性オルガノポリシロキサンのマイケル付加反応生成物、（Ｃ）脂肪族不飽和結合を有するオルガノアルコキシシラン、（Ｄ）コロイダルシリカ、（Ｅ）アルコールを含む有機溶剤からなることを特徴とする高エネルギー線硬化性アクリロキシ官能シリコーン組成物。【選択図】                  なし【特許請求の範囲】
【請求項１】
下記（Ａ）成分〜（Ｅ）成分からなることを特徴とする、高エネルギー線硬化性アクリロキシ官能シリコーン組成物。
（Ａ）少なくとも１種類の多官能性アクリレート、
（Ｂ）アミノ変性オルガノポリシロキサン
（Ｂ）成分中のアミノ基のモル量が、（Ａ）成分中のアクリレート官能基のモル量よりも少ない量、
（Ｃ）脂肪族不飽和結合を有するオルガノアルコキシシラン、
（Ｄ）コロイダルシリカ、
（Ｅ）アルコールを含む有機溶剤
【請求項２】
（Ａ）成分１００重量部に対して、（Ｂ）成分１〜３０重量部、（Ｃ）成分１〜３０重量部、（Ｄ）成分１〜１００重量部、（Ｅ）成分１０〜１０００重量部であることを特徴とする、請求項１に記載の高エネルギー線硬化性アクリロキシ官能シリコーン組成物。
【請求項３】
（Ａ）少なくとも１種類の多官能性アクリレート、
（Ｆ）少なくとも１種類の多官能性アクリレートとアミノ変性オルガノポリシロキサンのマイケル付加反応生成物、
（Ｃ）脂肪族不飽和結合を有するオルガノアルコキシシラン、
（Ｄ）コロイダルシリカ、
（Ｅ）アルコールを含む有機溶剤
からなることを特徴とする、高エネルギー線硬化性アクリロキシ官能シリコーン組成物。
【請求項４】
（Ａ）成分１００重量部に対して、（Ｆ）成分１〜１００重量部、（Ｃ）成分１〜３０重量部、（Ｄ）成分１〜１００重量部、（Ｅ）成分１０〜１０００重量部であることを特徴とする、請求項３に記載の高エネルギー線硬化性アクリロキシ官能シリコーン組成物。
【請求項５】
さらに（Ｃ）成分の加水分解用の（Ｇ）水を含有することを特徴とする、請求項１または請求項３に記載の高エネルギー線硬化性アクリロキシ官能シリコーン組成物。
【請求項６】
さらに（Ｇ）水を（Ｃ）成分１００重量部に対して１〜５０重量部含有することを特徴とする、請求項２または請求項４に記載の高エネルギー線硬化性アクリロキシ官能シリコーン組成物。
【請求項７】
（Ｂ）成分の重量が、（Ａ）成分の重量の１／５以下であることを特徴とする、請求項１または請求項３に記載の高エネルギー線硬化性アクリロキシ官能シリコーン組成物。
【請求項８】
（Ａ）成分が５官能性以上のアクリレートを含むことを特徴とする、請求項１または請求項３に記載の高エネルギー線硬化性アクリロキシ官能シリコーン組成物。
【請求項９】
さらに（Ｈ）少なくとも１種の光重合開始剤を含有することを特徴とする、請求項１、請求項３または請求項５に記載の高エネルギー線硬化性アクリロキシ官能シリコーン組成物。
【発明の詳細な説明】
【０００１】
【発明の属する技術分野】
本発明は、保存安定性に優れ、耐擦傷性、透明性、撥水性、密着性に優れた硬化皮膜を形成する高エネルギー線硬化性アクリロキシ官能シリコーン組成物に関する。
【０００２】
【従来の技術】
従来、紫外線、電子線、γ線等の高エネルギー線照射によって硬化する高エネルギー線硬化性コーティング剤として、多官能性アクリレートモノマー、アミノ官能性アルコキシシラン、コロイダルシリカからなる組成物（特開平７−３３１１７９号公報、特開平７−２５２３３３号公報、特開平５−１１７５４５号公報参照）、ジアクリレートとアミノ変性ポリシロキサンのマイケル付加反応生成物などが知られている（特開昭６０−１９０４２７号公報、特開平１１−１２３６１号公報参照）。
【０００３】
しかしながら、アミノ官能性アルコキシシランとコロイダルシリカを含有する前者のコーティング剤はゲル化しやすく、貯蔵安定性が低いという問題点がある。一方、後者のジアクリレートとアミノ変性ポリシロキサンの付加反応物は、硬化皮膜の耐擦傷性が不十分であるという欠点がある。
【０００４】
【特許文献１】特開平７−３３１１７９号公報
【特許文献２】特開平７−２５２３３３号公報
【特許文献３】特開平５−１１７５４５号公報
【特許文献４】特開昭６０−１９０４２７号公報
【特許文献５】特開平１１−１２３６１号公報
【０００５】
【発明が解決しようとする課題】
本発明者らは上記問題点を解決すべく鋭意検討した結果、本発明に到達した。
即ち、本発明の目的は、保存安定性に優れ、硬化後は、耐擦傷性、透明性、撥水性、密着性に優れた硬化皮膜を形成し得る高エネルギー線硬化性アクリロキシ官能シリコーン組成物を提供することにある。
【０００６】
【課題を解決するための手段】
本発明は、下記（Ａ）成分〜（Ｅ）成分からなることを特徴とする、高エネルギー線硬化性アクリロキシ官能シリコーン組成物に関する。
（Ａ）少なくとも１種類の多官能性アクリレート、
（Ｂ）アミノ変性オルガノポリシロキサン
（Ｂ）成分中のアミノ基のモル量が、（Ａ）成分中のアクリレート官能基のモル量よりも少ない量、
（Ｃ）脂肪族不飽和結合を有するオルガノアルコキシシラン、
（Ｄ）コロイダルシリカ、
（Ｅ）アルコールを含む有機溶剤
【０００７】
また、本発明は、（Ａ）少なくとも１種類の多官能性アクリレート、
（Ｆ）少なくとも１種類の多官能性アクリレートとアミノ変性オルガノポリシロキサンのマイケル付加反応生成物、
（Ｃ）脂肪族不飽和結合を有するオルガノアルコキシシラン、
（Ｄ）コロイダルシリカ、
（Ｅ）アルコールを含む有機溶剤
からなることを特徴とする、高エネルギー線硬化性アクリロキシ官能シリコーン組成物に関する。
【０００８】
また、本発明の高エネルギー線硬化性アクリロキシ官能シリコーン組成物は、さらに（Ｃ）成分の加水分解用の（Ｇ）水を含有することが好ましい。
また、本発明の高エネルギー線硬化性アクリロキシ官能シリコーン組成物を紫外線照射により硬化させる場合には、さらに（Ｈ）少なくとも１種の光重合開始剤を含有することが好ましい。
【０００９】
【発明の実施の形態】
（Ａ）成分は本発明組成物に高エネルギー線硬化性を付与する成分であり、２官能性以上のアクリレートが使用できる。具体的には、１，６−ヘキサンジオールジアクリレート，１，４−ブタンジオールジアクリレート，エチレングリコールジアクリレート，ジエチレングリコールジアクリレート，テトラエチレングリコールジアクリレート，トリプロピレングリコールジアクリレート，ネオペンチルグリコールジアクリレート，１，４−ブタンジオールジメタクリレート，ポリ（ブタンジオール）ジアクリレート，テトラエチレングリコールジメタクリレート，１，３−ブチレングリコールジアクリレート，トリエチレングリコールジアクリレート，トリイソプロピレングリコールジアクリレート，ポリエチレングリコールジアクリレート，ビスフェノールＡジメタクリレート等の２官能性アクリレートモノマー；トリメチロールプロパントリアクリレート，トリメチロールプロパントリメタクリレート，ペンタエリスリトールモノヒドロキシトリアクリレート，トリメチロールプロパントリエトキシトリアクリレート等の３官能性アクリレートモノマー；ペンタエリスリトールテトラアクリレート，ジトリメチロールプロパンテトラアクリレート等の４官能性アクリレートモノマー；ジペンタエリスリトールヘキサアクリレート，ジペンタエリスリトール（モノヒドロキシ）ペンタアクリレート等の５官能性以上のアクリレートモノマーが挙げられる。多官能性アクリレートのオリゴマーも使用でき、具体的には、ビスフェノールＡエポキシジアクリレート，六官能性芳香族ウレタンアクリレート［商標：Ｅｂｅｃｒｙｌ２２０］，脂肪族ウレタンジアクリレート［商標：Ｅｂｅｃｒｙｌ２３０］，四官能性ポリエステルアクリレート［商標：Ｅｂｅｃｒｙｌ８０］が挙げられる。これらの多官能アクリレートは、１種を単独で使用してもよく、２種類以上を組み合わせて使用してもよい。中でも、５官能性以上のアクリレートを含むことが好ましく、その含有量は（Ａ）成分の３０重量％以上であることが好ましく、５０重量％以上がより好ましく、８０重量％以上がさらに好ましい。
【００１０】
（Ｂ）成分は、本発明組成物の硬化皮膜に撥水性や潤滑性を付与する成分であり、分子鎖末端や側鎖の一部にアミノ官能性有機基を有するオルガノポリシロキサンフルイドが挙げられる。アミノ官能性有機基としては、２−アミノエチル基、３−アミノプロピル基、３−（２−アミノエチル）アミノプロピル基、６−アミノヘキシル基が例示される。アミノ官能性有機基以外のケイ素原子に結合する基としては、メチル基、エチル基、プロピル基等のアルキル基；フェニル基等のアリール基；メトキシ基、エトキシ基、プロポキシ基等のアルコキシ基；水酸基が挙げられる。これらの中でもメチル基が好ましい。オルガノポリシロキサンの分子構造は、直鎖状もしくは一部分岐を有する直鎖状であることが好ましい。またそのシロキサン重合度は、２〜１０００の範囲であることが好ましく、２〜５００の範囲がより好ましく、２〜３００の範囲が特に好ましい。このような（Ｂ）成分としては、下記式のような１級アミノ基を有するオルガノポリシロキサンが好ましく例示される。下記平均分子式中、Ｍｅはメチル基である。
【化１】
2004269589.tif 000002
（Ｂ）成分の配合量は、（Ｂ）成分中の合計アミノ基のモル量が、（Ａ）成分中のアクリレート官能基のモル量よりも少なくなるような量である。さらに、良好な性能が得られることから、（Ｂ）成分の重量が（Ａ）成分の重量の１／５以下であることが好ましい。
【００１１】
（Ｆ）成分は、前記（Ａ）成分中のアクリレート官能基と（Ｂ）成分中のアミノ基が反応して得られる反応生成物である。
【００１２】
（Ｃ）成分は、（Ｄ）成分のコロイダルシリカを表面処理して（Ａ）成分や（Ｂ）成分との親和性を向上させ、本発明組成物に良好な保存安定性を付与する成分である。また、硬化時には、（Ａ）成分と架橋して硬化物の架橋度を向上させる。脂肪族不飽和結合を有する基としては、３−（メタクリルオキシ）プロピル基、３−（アクリルオキシ）プロピル基等のアクリル基含有有機基；ビニル基、アリル基等のアルケニル基が挙げられる。アルコキシ基としては、メトキシ基、エトキシ基、プロポキシ基、ブトキシ基が例示される。このような（Ｃ）成分としては、３−（メタクリルオキシ）プロピルトリメトキシシラン，３−（メタクリルオキシ）プロピルトリエトキシシラン，３−（メタクリルオキシ）プロピルメチルジメトキシシラン，３−（アクリルオキシ）プロピルトリメトキシシラン，ビニルトリメトキシシラン，ビニルトリエトキシシラン，メチルビニルジメトキシシラン，アリルトリエトキシシランが例示される。
【００１３】
（Ｄ）成分は、本発明組成物の硬化皮膜を高硬度化して耐擦傷性を向上させる成分である。このような（Ｄ）成分としては、水分散性のコロイダルシリカ、アルコール分散性のコロイダルシリカ、有機溶剤に分散したコロイダルシリカが挙げられる。コロイダルシリカの平均粒子径は、通常、数ｎｍ〜数十ｎｍの範囲である。
【００１４】
（Ｅ）成分中のアルコールとしては、メタノール，エタノール，イソプロピルアルコール，ブタノール，イソブチルアルコール，エチレングリコール，ジエチレングリコール，トリエチレングリコール，エチレングリコールモノメチルエーテル，ジエチレングリコールモノメチルエーテル，トリエチレングリコールモノメチルエーテルが挙げられる。また、アルコール以外の有機溶剤としては、アセトン，メチルエチルケトン，メチルイソブチルケトン等のケトン；トルエン，キシレン等の芳香族系炭化水素；ヘキサン，オクタン，ヘプタン等の脂肪族系炭化水素；クロロホルム，塩化メチレン，トリクロロエチレン，四塩化炭素等の有機塩素系溶剤；酢酸エチル，酢酸ブチル，酢酸イソブチル等の脂肪酸エステルが挙げられる。（Ｅ）成分はアルコール単独でもよく、アルコールと他の溶剤の混合物であってもよい。また、アルコール、他の溶剤ともに２種以上を併用してもよい。アルコールの含有率は、全溶剤合計量の１０〜９０重量％の範囲であることが好ましく、３０〜７０重量％がより好ましい。
【００１５】
各成分の配合量は特に限定されないが、（Ａ）成分１００重量部に対して、（Ｂ）成分および（Ｃ）成分は、それぞれ１〜３０重量部の範囲であることが好ましく、１〜２０重量部の範囲がより好ましい。（Ｄ）成分は（Ａ）成分１００重量部に対して１〜１００重量部の範囲であることが好ましく、１〜８０重量の範囲がより好ましい。（Ｅ）成分は（Ａ）成分１００重量部に対して１０〜１０００重量部の範囲であることが好ましく、１０〜５００重量の範囲がより好ましい。（Ｆ）成分は（Ａ）成分１００重量部に対して１〜１００重量部の範囲であることが好ましく、１〜５０重量の範囲がより好ましい。
【００１６】
（Ｇ）成分は（Ｃ）成分の加水分解に使用される任意の成分である。その配合量は、（Ｃ）成分１００重量部に対して１〜５０重量部の範囲が好ましく、５〜３０重量部の範囲がより好ましい。なお、（Ｃ）成分は、通常、（Ｄ）成分のコロイダルシリカ表面のシラノール基と反応し、さらに（Ｇ）成分によって加水分解される。このため（Ｇ）成分の配合量は、（Ｃ）成分を完全に加水分解し得る量より少なくてもよい。
【００１７】
（Ｈ）成分は、本発明組成物を紫外線照射により硬化させる場合に含有されることが好ましい。例えば、２−メチル−｛４−（メチルチオ）フェニル｝−２−モルフォリノ−１−プロパン［日本チバガイギー社製；商品名イルガキュア９０７］，１−ヒドロキシシクロヘキシルフェニルケトン［日本チバガイギー社製；商品名イルガキュア１８４］が挙げられる。この他にも、ベンゾフェノン，アセトフェノン，ベンゾインあるいは各種のベンゾイン誘導体や公知の光重合開始剤が使用できる。このような光重合開始剤は１種類を単独で使用してもよく、２種類以上の混合物を使用してもよい。（Ｈ）成分の配合量は特に限定されないが、（Ａ）成分１００重量部に対して１〜３０重量部の範囲が好ましく、１〜２０重量部の範囲がより好ましい。
【００１８】
本発明組成物には、本発明の目的を損なわない範囲であれば、上記以外の成分を添加配合してもよい。たとえば、テトラメトキシシラン，テトラエトキシシラン，テトライソプロポキシシラン等のテトラアルコキシシラン；メチルトリメトキシシラン，メチルトリエトキシシラン，メチルトリイソプロポキシシラン，エチルトリメトキシシラン，エチルトリエトキシシラン，エチルトリイソプロポキシシラン等のアルキルアルコキシシランが挙げられる。
【００１９】
さらに本発明組成物には、必要に応じて、増粘剤；紫外線吸収剤；各種顔料，染料等の着色剤；アルミニウムペースト，タルク，ガラスフリット，金属粉の他、ブチル化ヒドロキシトルエン（ＢＨＴ），フェノチアジン（ＰＴＺ）等のアクリレート類の自己重合禁止剤などを添加配合することができる。
【００２０】
本発明組成物の製造方法は特に限定されないが、通常、構成成分の単純な攪拌により均一な混合物が得られる。このとき、（Ａ）成分と（Ｂ）成分を予め反応させてから、他の成分を配合することが好ましい。（Ａ）成分中のアクリレート官能基のモル量よりも（Ｂ）成分中のアミノ基のモル量が少ないので、（Ａ）成分と（Ｂ）成分の反応後は、（Ａ）成分と（Ｂ）成分のマイケル付加反応生成物（Ｆ）と、未反応の（Ａ）成分からなる混合物となる。本発明組成物の製法として具体的には、（Ａ）成分と（Ｂ）成分を（Ｅ）成分中で、室温から溶剤の還流温度の範囲で１分間〜２０時間混合して反応させた後、（Ｃ）成分および（Ｄ）成分を加え、必要に応じてさらに（Ｇ）成分を添加して、室温から溶剤の還流温度の範囲で１分間〜２０時間混合する方法が挙げられる。また、（Ａ）成分と（Ｂ）成分を（Ｅ）成分中で、室温から溶剤の還流温度の範囲で１分間〜２０時間混合して反応させた後、（Ｃ）成分と（Ｄ）成分の混合物に（Ｇ）成分を混合したもの、あるいは、（Ｃ）成分と（Ｄ）成分と（Ｇ）成分の混合物を添加して、室温から溶剤の還流温度の範囲で１分間〜２０時間混合する方法が挙げられる。（Ｈ）成分は冷却後に添加混合してもよい。
【００２１】
本発明組成物は各種基材に塗布して乾燥後、高エネルギー線を照射することにより極めて短時間で硬化する。高エネルギー線としては、紫外線，電子線，γ線が例示される。中でも紫外線を使用した場合には、極めて短時間で硬化薄膜層が形成される。紫外線照射量は、少なくとも２ｍＪ／ｃｍ２であり、好ましくは１０〜２０００ｍＪ／ｃｍ２である。また、高エネルギー線として電子線やγ線を使用する場合は、（Ｈ）成分を配合しなくてもよい。尚、本発明組成物は常温で乾燥するが、より早く乾燥させる場合には加熱すればよい。
【００２２】
本発明組成物が適用される基材は特に限定されない。材質としては、例えば、ポリエチレン，ポリプロピレン等のポリオレフィン系樹脂；ポリエチレンテレフタレート，ポリエチレンイソフタレート，ポリエチレン−２，６−ナフタレート，ポリブチレンテレフタレートやこれらの共重合体等のポリエステル系樹脂；ポリオキシメチレン等のポリアミド系樹脂；ポリスチレン，ポリ（メタ）アクリル酸エステル，ポリアクリロニトリル，ポリ酢酸ビニル，ポリカーボネート，セロファン，ポリイミド，ポリエーテルイミド，ポリフェニレンスルフォン，ポリスルフォン，ポリエーテルケトン，アイオノマー樹脂，フッ素樹脂等の熱可塑性樹脂；メラミン樹脂，ポリウレタン樹脂，エポキシ樹脂，フェノール樹脂，不飽和ポリエステル樹脂，アルキッド樹脂，ユリア樹脂，シリコーン樹脂等の熱硬化性樹脂が挙げられる。基材の形状は特に限定されず，フィルム状，シート状，ボトル状，固形状が挙げられる。中でも、熱可塑性プラスチックフィルムが好ましい。基材の厚さは特に限定されないが、フィルム状やシート状の場合には、通常、５〜１００μｍの範囲である。
【００２３】
本発明組成物の塗工方法は特に限定されず、例えば、流し塗り，浸漬被覆，回転塗布，吹付け塗布，カーテン塗り，グラビア塗工，マイヤーバー塗工，ディップコーティング等の公知の方法によって、本発明組成物の薄膜層を各種基材表面に形成することができる。また、塗工前の基材表面に予めコロナ処理等の表面活性化処理や、ウレタン樹脂等を用いた公知のアンカー処理を行ってもよい。本発明組成物の塗布量は、耐擦傷性が要求される場合には、層の厚さが０．５〜２５μｍとなる量が好ましく、１〜２０μｍとなる量がより好ましい。塗工後は薄膜を乾燥させた後、硬化を行う。
【００２４】
以上のような本発明組成物は保存安定性に優れ、硬化後は、耐擦傷性、透明性、撥水性、密着性、耐候性、耐紫外線性に優れる高硬度の薄膜層を形成するので各種基材のコーティング剤やフィルム形成剤として有用である。さらに、（Ａ）成分と（Ｂ）成分を予め反応させることにより、硬化皮膜からのオイルの滲み出しがより一層抑えられ、経時安定性に優れるという利点を有する。本発明組成物の硬化薄膜層を有するものは様々な用途に使用することができ、特に、自動車や建築用窓ガラスの保護フィルム；ディスプレイ，タッチパネル，磁気カードなどの保護フィルム，自動車ヘッドランプ等の透明樹脂ガラスに好適である。
【００２５】
【実施例】
以下、本発明を実施例により具体的に説明する。実施例中、部とあるのは重量部を意味し、Ｍｅはメチル基を意味する。粘度は２５℃における測定値である。硬化薄膜層の水に対する接触角は、接触角測定機［協和界面科学社製；ＣＡ−Ｚ］を用いて測定した。
【００２６】
【実施例１】
フラスコに、５２．３ｇのトルエン、２１ｇのイソプロピルアルコール（以下、ＩＰＡ）、ジペンタエリスリトールヘキサアクリレート（６０ｗｔ％）とジペンタエリスリトール（モノヒドロキシ）ペンタアクリレート（４０ｗｔ％）の混合物２３．９ｇ（アクリレート官能基量：０．２４モル）を投入してこれらを攪拌した。次いで、平均分子式：
【化２】
2004269589.tif 000003
で表されるアミノ変性ジメチルポリシロキサンフルイド１．４９ｇ（アミノ基量：０．００１モル）を加えて５０℃に加熱し、１時間攪拌して反応混合物を得た。次いで、これに３．７４ｇの３−メタクリロキシプロピルトリメトキシシラン、４４．９ｇのコロイダルシリカのＩＰＡ分散液（濃度３０ｗｔ％、コロイダルシリカの平均粒子径１３ｎｍ）、０．４６ｇの水の順に加えて、１時間攪拌を行った。冷却後、２．２５ｇの光重合開始剤［日本チバガイギー社製；商品名イルガキュア１８４］、４．５ｍｇのフェノチアジンを加えて、アクリロキシ官能シリコーン組成物Ａを調製した。組成物Ａの溶液粘度は３ｍｍ２／ｓであり、６ケ月経過後もほとんど変化がなく、保存安定性は良好であった。
このようにして得られた組成物Ａを、１８８μｍ厚のＰＥＴフィルムにバーコーターを用いて塗布して、１２０℃で２分間乾燥した。さらに、３５０ｍＪ／ｃｍ２の紫外線を照射して硬化させて、２μｍ厚の組成物Ａの硬化薄膜層を有するＰＥＴフィルムを得た。
この硬化薄膜層の水に対する接触角は９８°であり、鉛筆硬度は３Ｈであり、オイルの滲み出しも認められなかった。
また、得られたＰＥＴフィルムを室温で１ケ月放置した後、硬化薄膜層表面にセロハンテープを粘着させて剥離試験（剥離速度１００ｍｍ／分、角度１８０度）をおこなったところ、硬化薄膜層は剥離することなくＰＥＴフィルムに密着していた。
さらに、硬化薄膜層の表面をスチールウールで擦ったところ、傷はほとんどつかなかった。
このＰＥＴフィルムの光透過率（５５０ｎｍ）を、島津製作所製分光光度計（ＵＶ−Ｖｉｓｉｂｌｅ  Ｒｅｃｏｒｄｉｎｇ  Ｓｐｅｃｔｒｏｐｈｏｔｏｍｅｔｅｒ）ＵＶ−２６５ＦＷを用いて測定したところ、未処理のＰＥＴフィルムよりも光透過率が向上しており、未処理フィルムを１００％とすると、本発明組成物の硬化薄膜層を有するフィルムは１０４％であった。また、この硬化薄膜層を有するフィルムを、テーバー磨耗試験機を用いて磨耗輪荷重５００ｇで１００回試験した後に光透過率を再度測定したところ、１０４％であり、磨耗後も透明性が低下していないことが判明した。
【００２７】
【実施例２】
フラスコに、５２．３ｇのトルエン、２１ｇのＩＰＡ、ジペンタエリスリトールヘキサアクリレート（６０ｗｔ％）とジペンタエリスリトール（モノヒドロキシ）ペンタアクリレート（４０ｗｔ％）の混合物２３．９ｇ（アクリレート官能基量：０．２４モル）を投入してこれらを攪拌した。次いで、平均分子式：
ＮＨ２Ｃ３Ｈ６−Ｍｅ２ＳｉＯ（Ｍｅ２ＳｉＯ）９ＳｉＭｅ２−Ｃ３Ｈ６ＮＨ２
で示されるアミノ変性ジメチルポリシロキサンフルイド１．５ｇ（アミノ基量：０．００２モル）を加えて５０℃に加熱し、１時間攪拌して反応混合物を得た。次いで、これに３．７ｇの３−メタクリロキシプロピルトリメトキシシラン、４５ｇのコロイダルシリカのＩＰＡ分散液（濃度３０ｗｔ％、コロイダルシリカの平均粒子径１３ｎｍ）、０．４６ｇの水の順に加えて、１時間攪拌を行った。冷却後、２．２５ｇの光重合開始剤［日本チバガイギー社製；商品名イルガキュア１８４］、４．５ｍｇのフェノチアジンを加えて、アクリロキシ官能シリコーン組成物Ｂを調製した。
このようにして得られた組成物Ｂを、１８８μｍ厚のＰＥＴフィルムにバーコーターを用いて塗布して、１２０℃で２分間乾燥した。さらに、３５０ｍＪ／ｃｍ２の紫外線を照射して硬化させて、２μｍ厚の組成物Ｂの硬化薄膜層を有するＰＥＴフィルムを得た。
この硬化薄膜層の水に対する接触角は１００°であり、鉛筆硬度は３Ｈであった。
また、得られたＰＥＴフィルムを室温で１ケ月放置した後、実施例１と同様にして剥離試験をおこなったところ、硬化薄膜層は剥離することなくＰＥＴフィルムに密着していた。
さらに、硬化薄膜層の表面をスチールウールで擦ったところ、傷はほとんどつかなかった。
このＰＥＴフィルムの５５０ｎｍにおける光透過率を実施例１と同様にして測定したところ、１０５％であり、未処理フィルムよりも光透過率が向上していた。
また、硬化薄膜層表面の静摩擦係数を、ポータブル摩擦計［新東科学製；トライボア・ミューズｔｙｐｅ：９４Ｉ］を用いて測定したところ、０．１７（μｓ）であり、未処理フィルムの値０．１９（μｓ）よりも良好であった。
【００２８】
【実施例３】
フラスコに、２１ｇのトルエン、５２ｇのＩＰＡ、ジペンタエリスリトールヘキサアクリレート（６０ｗｔ％）とジペンタエリスリトール（モノヒドロキシ）ペンタアクリレート（４０ｗｔ％）の混合物２４ｇ（アクリレート官能基量：０．２４モル）を投入してこれらを攪拌した。次いで、平均分子式：
ＮＨ２Ｃ３Ｈ６−Ｍｅ２ＳｉＯ（Ｍｅ２ＳｉＯ）５０ＳｉＭｅ２−Ｃ３Ｈ６ＮＨ２
で示されるアミノ変性ジメチルポリシロキサンフルイド３ｇ（アミノ基量：０．００１モル）を加えて５０℃に加熱し、１時間攪拌して反応混合物を得た。次いで、これに３．７ｇの３−メタクリロキシプロピルトリメトキシシラン、４５ｇのコロイダルシリカのＩＰＡ分散液（濃度３０ｗｔ％、コロイダルシリカの平均粒子径１３ｎｍ）、０．４６ｇの水の順に加えて、１時間攪拌を行った。冷却後、２．２５ｇの光重合開始剤［日本チバガイギー社製；商品名イルガキュア１８４］、４．５ｍｇのフェノチアジンを加えて、アクリロキシ官能シリコーン組成物Ｃを調製した。
このようにして得られた組成物Ｃを、１８８μｍ厚のＰＥＴフィルムにバーコーターを用いて塗布して、１２０℃で２分間乾燥した。さらに、３５０ｍＪ／ｃｍ２の紫外線を照射して硬化させて、２μｍ厚の組成物Ｃの硬化薄膜層を有するＰＥＴフィルムを得た。
この硬化薄膜層の水に対する接触角は９９°であり、鉛筆硬度は３Ｈであった。
また、得られたＰＥＴフィルムを室温で１ケ月放置した後、実施例１と同様にして剥離試験をおこなったところ、硬化薄膜層は剥離することなくＰＥＴフィルムに密着していた。
さらに、硬化薄膜層の表面をスチールウールで擦ったところ、傷はほとんどつかなかった。
このＰＥＴフィルムの５５０ｎｍにおける光透過率を実施例１と同様にして測定したところ、１０３％であり、未処理フィルムよりも光透過率が向上していた。
また、硬化薄膜層表面の静摩擦係数を実施例２と同様にして測定したところ、０．１１（μｓ）であり、未処理フィルムの値０．１９（μｓ）よりも良好であった。
【００２９】
【実施例４】
フラスコに、５２．３ｇのトルエン、２１ｇのＩＰＡ、ジペンタエリスリトールヘキサアクリレート（６０ｗｔ％）とジペンタエリスリトール（モノヒドロキシ）ペンタアクリレート（４０ｗｔ％）の混合物２３．９ｇ（アクリレート官能基量：０．２４モル）を投入してこれらを攪拌した。次いで、平均分子式：
【化３】
2004269589.tif 000004
で表されるアミノ変性ジメチルポリシロキサンフルイド１．４９ｇ（アミノ基量：０．００１モル）を加えて５０℃に加熱し、１時間攪拌して反応混合物を得た。次いで、これに３．７４ｇの３−メタクリロキシプロピルトリメトキシシラン、４４．９ｇのコロイダルシリカのＩＰＡ分散液（濃度３０ｗｔ％、コロイダルシリカの平均粒子径１３ｎｍ）の順に加えて、１時間攪拌を行った。冷却後、２．２５ｇの光重合開始剤［日本チバガイギー社製；商品名イルガキュア１８４］、４．５ｍｇのフェノチアジンを加えて、アクリロキシ官能シリコーン組成物Ｄを調製した。
このようにして得られた組成物Ｄを、１８８μｍ厚のＰＥＴフィルムにバーコーターを用いて塗布して、１２０℃で２分間乾燥した。さらに、３５０ｍＪ／ｃｍ２の紫外線を照射して硬化させて、２μｍ厚の組成物Ｄの硬化薄膜層を有するＰＥＴフィルムを得た。
この硬化薄膜層の水に対する接触角は９７°であり、鉛筆硬度は３Ｈであり、オイルの滲み出しも認められなかった。
また、硬化薄膜層の表面をスチールウールで擦ったところ、傷はほとんどつかなかった。
【００３０】
【比較例１】
実施例１において、３．７４ｇの３−メタクリロキシプロピルトリメトキシシランを使用しなかった以外は実施例１と同様にして、アクリロキシ官能シリコーン組成物を得た。得られた組成物は白濁しており、１ケ月後には白色の沈降物が発生し、保存安定性が不十分であった。
【００３１】
【比較例２】
フラスコに、５２．３ｇのトルエン、２１ｇのＩＰＡ、ジペンタエリスリトールヘキサアクリレート（６０ｗｔ％）とジペンタエリスリトール（モノヒドロキシ）ペンタアクリレート（４０ｗｔ％）の混合物２３．９ｇを投入してこれらを攪拌した。次いで、これに３．７４ｇの３−メタクリロキシプロピルトリメトキシシラン、４４．９ｇのコロイダルシリカのＩＰＡ分散液（濃度３０ｗｔ％、コロイダルシリカの平均粒子径１３ｎｍ）、０．４６ｇの水の順に加えて、１時間攪拌を行った。冷却後、２．２５ｇの光重合開始剤［日本チバガイギー社製；商品名イルガキュア１８４］、４．５ｍｇのフェノチアジンを加えて、アクリロキシ官能シリコーン組成物を調製した。
この組成物を実施例１と同様にしてＰＥＴフィルムに塗工した。得られた硬化薄膜層の水に対する接触角は８０°であり、撥水性が不十分であることが判明した。
【００３２】
【比較例３】
実施例１において、アミノ変性ジメチルポリシロキサンフルイドの代わりに、ポリオキシエチレン基を側鎖に有する粘度２７０ｍｍ２／ｓのポリジメチルシロキサンフルイド（ポリオキシエチレン鎖の含有量４７重量％）０．２ｇを使用した以外は実施例１と同様にして、アクリロキシ官能シリコーン組成物を得た。
この組成物を実施例１と同様にしてＰＥＴフィルムに塗工した。得られた硬化薄膜層の水に対する接触角は９０°であり、撥水性が不十分であることが判明した。また、硬化薄膜層にオイルの滲み出しが認められた。
【００３３】
【発明の効果】
本発明の高エネルギー線硬化性アクリロキシ官能シリコーン組成物は、上記（Ａ）成分〜（Ｅ）成分、または、（Ａ）成分、（Ｆ）成分、（Ｃ）成分、（Ｄ）成分、（Ｅ）成分からなり、さらに必要に応じて（Ｇ）成分や（Ｈ）成分を含有するので保存安定性に優れ、硬化後は、耐擦傷性、透明性、撥水性、密着性に優れる高硬度の硬化薄膜を形成するという特徴を有する。